(57)【要約】【課題】手すりの外部に照射される光の色を容易に変更することのできる手すり及び手すりユニットを提供する。【解決手段】Ｘ方向に延在するように設けられており、下部にＸ方向に延在する凹部２１Ａを含む手すり本体２１と、発光面３８ａが下面側に位置するように、凹部２１Ａ内に収容され、Ｘ方向に配置された複数の発光ダイオード３８と、凹部２１Ａ内に収容され、複数の発光ダイオード３８のうち、少なくとも一部の発光ダイオード３８の発光面３８ａと対向配置されたカラーフィルタ３１と、を備える。【選択図】図２
0003202849.tif 000002
【実用新案登録請求の範囲】
【請求項１】
所定の方向に延在するように設けられており、下部に前記所定の方向に延在する凹部を含む手すり本体と、
発光面が下面側に位置するように、前記凹部内に収容され、前記所定の方向に配置された複数の発光ダイオードと、
前記凹部内に収容され、前記複数の発光ダイオードのうち、少なくとも一部の前記発光ダイオードの前記発光面と対向配置されたカラーフィルタと、
を備えることを特徴とする手すり。
【請求項２】
前記カラーフィルタは、前記所定の方向に配置された色の異なる複数のカラーフィルタであることを特徴とする請求項１記載の手すり。
【請求項３】
前記複数の発光ダイオードは、同じ色で発光する同一種類の発光ダイオードであることを特徴とする請求項１または２記載の手すり。
【請求項４】
前記カラーフィルタの下方に位置する前記凹部内に、前記カラーフィルタと対向するように配置され、前記カラーフィルタを通過した光を透過させる光透過性部材を含むことを特徴とする請求項１ないし３のうち、いずれか１項記載の手すり。
【請求項５】
請求項１ないし４のうち、いずれか１項記載の手すりと、
前記所定の方向に対して配列されており、前記手すりの下端を支持する複数の支柱と、
を備えることを特徴とする手すりユニット。
【請求項６】
前記手すりは、前記支柱間に配置された発光部分と、前記支柱と接続される非発光部分と、をそれぞれ複数有しており、
複数の前記発光部分に設ける前記カラーフィルタの色を異ならせることを特徴とする請求項５記載の手すりユニット。
【請求項７】
前記手すりは、前記支柱間に配置された発光部分と、前記支柱と接続される非発光部分と、をそれぞれ複数有しており、
複数の前記発光部分のうち、一端に配置された発光部分と、他端に配置された発光部分と、残りの発光部分と、に設ける前記カラーフィルタの色を異ならせることを特徴とする請求項５記載の手すりユニット。
【考案の詳細な説明】
【技術分野】
【０００１】
本考案は、照明機能を含んだ手すり及び手すりユニットに関する。
【背景技術】
【０００２】
従来、階段の昇り降りや廊下の歩行等を補助する手すりユニットが、階段や廊下等に設置される場合がある。このような手すりユニットを設けることで、利用者が手すりを掴みながら歩行することが可能となり、階段を昇り降りする際や廊下を歩行する際に足腰にかかる負担を軽減することができる。
このような手すりユニットは、例えば、手すりと、手すりを支持する複数の支柱または複数のブラケットと、を含んだ構成とされている。
【０００３】
しかしながら、階段や廊下が暗いと、利用者が手すりの存在に気付かない場合があり、手すりが利用者にとって障害物になる恐れがある。
一方、利用者に手すりの存在を気付かせるために、建物に設けられた蛍光灯等の照明器具を点灯させると必要以上に明るくなってしまったり、無駄に電力が消費されてしまったりする恐れがある。特に、夜間にトイレに行く場合には、明るさで目が覚めてしまう恐れがある。
このため、建物側の照明器具を点灯させることなく、手すりの存在や位置等を利用者に気付かせる工夫がなされた手すりが提案されている（例えば、特許文献１参照）。
【０００４】
特許文献１には、手すりを構成する手すり本体に内設された光源（照明手段）として、斜め下方を照らす（壁面を照らす）発光ダイオード（以下、「ＬＥＤ」という）を用いることが開示されている。
また、特許文献１には、複数の光源を発光色や照度が異なる光源を組み合わせたもので構成してもよいことや、照度が異なる複数の光源のうち、特定の発光色や照度の光源を選択して発光させてもよいことや、発光色が異なる複数の光源を同時に発光させてもよいことが開示されている。
【先行技術文献】
【特許文献】
【０００５】
【特許文献１】特開２０１５−１８３３９４号公報
【考案の概要】
【考案が解決しようとする課題】
【０００６】
特許文献１のように、複数の光源を発光色や照度が異なる光源を組み合わせたもので構成するとともに、照度が異なる複数の光源のうち、特定の発光色や照度の光源を選択して発光させたり、発光色が異なる複数の光源を同時に発光させたりすることで、手すりが設置される場所に応じて、発色をいろいろ変化させることが可能となる。
また、光源として、ＬＥＤを用いることで、発熱の抑制や低消費電力化を実現することが可能である。
しかしながら、特許文献１のように、発光色の異なる複数のＬＥＤを用いて手すりを構成し、かつこれら複数のＬＥＤを制御して、手すりの外部に照射される光の色を所望の色にすることは非常に煩雑であった。
【０００７】
本考案はこのような課題に鑑みてなされたものであって、手すりの外部に照射される光の色を容易に変更することの可能な手すり及び手すりユニットを提供することを目的とする。
【課題を解決するための手段】
【０００８】
上記課題を解決するため、本考案は以下の手段を提供している。
即ち、本考案の一観点に係る手すりは、所定の方向に延在するように設けられており、下部に前記所定の方向に延在する凹部を含む手すり本体と、発光面が下面側に位置するように、前記凹部内に収容され、前記所定の方向に配置された複数の発光ダイオードと、前記凹部内に収容され、前記複数の発光ダイオードのうち、少なくとも一部の前記発光ダイオードの前記発光面と対向配置されたカラーフィルタと、を備えることを特徴とする。
【０００９】
本考案の一観点に係る手すりによれば、複数の発光ダイオードの発光色を制御することなく、カラーフィルタを用いて、手すりの外部に照射される光の色を容易に変更することができる。
【００１０】
上記手すりにおいて、前記カラーフィルタは、前記所定の方向に配置された色の異なる複数のカラーフィルタであってもよい。
【００１１】
このような構成とすることで、所定の方向に対して、手すりの外部に照射される光の色を異ならせることが可能となるので、色のデザイン性を向上させることができる。
【００１２】
また、上記手すりにおいて、前記複数の発光ダイオードは、同じ色で発光する同一種類の発光ダイオードであってもよい。
【００１３】
このような構成とすることで、手すりのメンテナンス用の発光ダイオードとして、同一種類の発光ダイオードのみを準備すればよいため、異なる種類の発光ダイオードを準備する場合と比較して、メンテナンス用の発光ダイオードのコストを低減することができる。
【００１４】
また、上記手すりにおいて、前記カラーフィルタの下方に位置する前記凹部内に、前記カラーフィルタと対向するように配置され、前記カラーフィルタを通過した光を透過させる光透過性部材を含んでもよい。
【００１５】
このような光透過性部材を設けることで、カラーフィルタを通過した光を光透過性部材の外に照射することができるとともに、カラーフィルタを保護することができる。
【００１６】
また、本考案の一観点に係る手すりユニットは、請求項１ないし４のうち、いずれか１項記載の手すりと、前記所定の方向に対して配列されており、前記手すりの下端を支持する複数の支柱と、を備えることを特徴とする。
【００１７】
このような構成とすることで、手すりの下部から照射された色の光で複数の支柱を照らすことが可能となるので、色のデザイン性を向上させることができる。
【００１８】
また、上記手すりユニットにおいて、前記手すりは、前記支柱間に配置された発光部分と、前記支柱と接続される非発光部分と、をそれぞれ複数有しており、複数の前記発光部分に設ける前記カラーフィルタの色を異ならせてもよい。
【００１９】
このような構成とすることで、複数の発光部分から照射される異なる色の光により、色のデザイン性を向上させることができる。
【００２０】
また、上記手すりユニットにおいて、前記手すりは、前記支柱間に配置された発光部分と、前記支柱と接続される非発光部分と、をそれぞれ複数有しており、複数の前記発光部分のうち、一端に配置された発光部分と、他端に配置された発光部分と、残りの発光部分と、に設ける前記カラーフィルタの色を異ならせてもよい。
【００２１】
このような構成とすることで、手すりの外部に照射された異なる色の光により、利用者に手すりの入口側と出口側を視認させることができる。
【考案の効果】
【００２２】
本考案によれば、手すりの外部に照射される光の色を容易に変更することができる。
【図面の簡単な説明】
【００２３】
【図１】実施形態の手すりユニットの側面図である。
【図２】図１に示す手すりを構成する発光部分のＡ−Ａ線断面図である。
【図３】図１に示す手すりを構成する非発光部分のＢ−Ｂ線断面図である。
【考案を実施するための形態】
【００２４】
以下、本考案の実施形態に係る手すりユニットについて、図面を参照して詳細に説明する。
（実施形態）
図１は、実施形態の手すりユニットの側面図である。図１において、Ｘ方向は手すり１１が延在する所定の方向を示しており、Ｚ方向は支柱１２の延在方向を示している。なお、図１では、後述する図２及び図３に示す壁１８の図示を省略する。
図１を参照するに、手すりユニット１０は、手すり１１と、複数の支柱１２と、補強部材１３と、を有する。
【００２５】
図２は、図１に示す手すりを構成する発光部分のＡ−Ａ線断面図である。図２において、図１に示す手すりユニット１０と同一構成部分には、同一符号を付す。
図２に示すＹ方向は、図１に示すＸ方向、及びＺ方向に対して直交する方向である。また、図２に示すＣは、発光部分１５の外部に照射される光の照射領域（以下、「領域Ｃ」という）を示している。
図３は、図１に示す手すりを構成する非発光部分のＢ−Ｂ線断面図である。図３において、図１及び図２に示す構造体と同一構成部分には、同一符号を付す。
【００２６】
図１〜図３を参照するに、手すり１１は、複数の発光部分１５と、複数の非発光部分１６と、を有する。
複数の発光部分１５は、Ｘ方向に配置されている。発光部分１５は、隣り合う位置に設けられた支柱１２間に設けられている。非発光部分１６は、手すり１１のうち、支柱１２と接続される部分に設けられている。
発光部分１５は、手すり本体２１と、ＬＥＤユニット支持部材２３と、ＬＥＤユニット２４と、光透過性部材２６と、遮光板２７と、一対の電源線２９と、カラーフィルタ３１と、を有する。
【００２７】
手すり本体２１は、人が手で掴む部分の外形がほぼ円柱形状とされている。このような形状とすることで、利用者が手すり１１に掴まりやすくすることができる。
手すり本体２１は、Ｘ方向に延在しており、複数の発光部分１５及び非発光部分１６に跨って設けられている。
手すり本体２１は、下部にＸ方向に延在する凹部２１Ａを有する。凹部２１Ａは、Ｘ方向に延在しており、複数の発光部分１５及び非発光部分１６に跨って設けられている。凹部２１Ａの下端は、開放端とされており、地面、床、階段等の通路１７の上面１７ａと対向している。
【００２８】
手すり本体２１は、その内部に中空部２１Ｂを有する。このように、手すり本体２１が中空部２１Ｂを有することで、手すり本体２１の軽量化を図ることができる。特に、手すり本体２１の材料として、例えば、金属材料を用いた場合に有効である。
なお、図２及び図３では、手すり本体２１の外形がほぼ円柱形状の場合を例に挙げて説明したが、手すり本体２１は、凹部２１Ａを有していればよく、図２及び図３に示す形状に限定されない。
【００２９】
ＬＥＤユニット支持部材２３は、複数の支持部材本体３３と、突出部３４，３５と、を有する。
複数の支持部材本体３３は、Ｘ方向に延在する部材であり、切断面がコの字型とされている。支持部材本体３３は、開放端が通路１７の上面１７ａと対向するように、複数の発光部分１５に設けられた凹部２１Ａ内に収容されている。
複数の支持部材本体３３は、その内側にＬＥＤユニット２４を収容可能な空間を有する。複数の支持部材本体３３は、ＬＥＤユニット２４の一方の側壁（壁１８側に位置する側壁）の一部を収容可能な凹部である収容部３３Ａを有する。収容部３３Ａは、Ｘ方向に延在するように設けられている。
【００３０】
突出部３４は、支持部材本体３３の内壁のうち、通路１７の上面１７ａと対向する部分から、通路１７の上面１７ａに向かう方向（Ｚ方向）に突出している。
突出部３４は、ＬＥＤユニット２４の他方の側壁の上部に位置する角部を収容可能な凹部３４Ａと、ＬＥＤユニット２４に設けられた溝３７Ａと係合する係合部３４Ｂと、を有する。
【００３１】
突出部３５は、支持部材本体３３の内壁のうち、壁１８とは反対側に位置する内壁から壁１８に向かう方向に突出している。突出部３５は、光透過性部材２６と係合する係合部３５Ａを有する。
【００３２】
ＬＥＤユニット２４は、ＬＥＤユニット支持部材２３を構成する収容部３３Ａ、及び突出部３４により、ＬＥＤユニット支持部材２３に対して着脱可能な状態で、ＬＥＤユニット支持部材２３に挟持されている。
【００３３】
ＬＥＤユニット２４は、ＬＥＤ固定用部材３７と、複数の発光ダイオード３８（Ｌｉｇｈｔ  Ｅｍｉｔｔｉｎｇ  Ｄｉｏｄｅ：ＬＥＤ）と、を有する。
ＬＥＤ固定用部材３７は、Ｘ方向に延在する部材であり、複数の発光部分１５にそれぞれ設けられている。ＬＥＤ固定用部材３７は、複数の発光ダイオード３８を固定するための部材である。
ＬＥＤ固定用部材３７は、壁１８側とは反対側に位置する側壁に係合部３４Ｂと係合する溝３７Ａを有する。溝３７Ａは、Ｘ方向に延在するように設けられている。
【００３４】
複数の発光ダイオード３８は、光を照射する発光面３８ａを有する。複数の発光ダイオード３８は、発光面３８ａとＬＥＤ固定用部材３７の面とが面一となるように、発光面３８ａが露出された状態で、ＬＥＤ固定用部材３７に埋め込まれている。これにより、複数の発光ダイオード３８が埋設された側のＬＥＤユニット２４の面は、平面とされている。
複数の発光ダイオード３８は、ＬＥＤ固定用部材３７のＸ方向に配列されている。ＬＥＤユニット支持部材２３にＬＥＤユニット２４が挟持された状態において、発光面３８ａは、通路１７の上面１７ａと対向している。
【００３５】
複数の発光ダイオード３８としては、例えば、同じ色で発光する同一種類の発光ダイオードを用いてもよい。
このように、複数の発光ダイオード３８として、同じ色で発光する同一種類の発光ダイオードを用いることで、手すり１１の交換用の発光ダイオードとして、同一種類の発光ダイオードのみを準備すればよい。このため、異なる種類の発光ダイオードを準備する場合と比較して、交換用の光ダイオードのコストを低減することができる。
複数の発光ダイオード３８としては、例えば、白色で発光する白色発光ダイオードを用いることができる。
【００３６】
光透過性部材２６は、ＬＥＤユニット２４の下方に位置する凹部２１Ａ内に収容されている。光透過性部材２６は、突出部２６Ａと、凸部２６Ｂと、を有する。
突出部２６Ａは、ＬＥＤユニット２４に向かう方向（Ｚ方向）に突出している。突出部２６Ａの上面は、平坦な面とされている。突出部２６Ａの上面とＬＥＤユニット支持部材２３との間には、隙間が設けられている。この隙間の大きさは、カラーフィルタ３１の厚さとほぼ等しくなるように構成されている。
【００３７】
凸部２６Ｂは、横方向（Ｙ方向）に出っ張った部分であり、係合部３５Ａと係合している。凸部２６Ｂと係合部３５Ａとが係合することで、光透過性部材２６は、ＬＥＤユニット支持部材２３により、壁１８に向かう方向に押圧される。
これにより、光透過性部材２６は、手すり本体２１に対して着脱可能な状態で、凹部２１Ａ内に固定される。
【００３８】
光透過性部材２６は、カラーフィルタ３１及び複数の発光ダイオード３８を保護する機能を有するとともに、カラーフィルタ３１を通過した発光ダイオード３８の光を透過させるための部材である。
光透過性部材２６の材料としては、例えば、無色透明なガラスや樹脂等を用いることが可能である。このように、光透過性部材２６の材料としては、例えば、無色透明なガラスや樹脂等を用いることで、カラーフィルタ３１を通過した光の色を変化させることなく、そのまま発光部分１５の外部に照射することができる。
【００３９】
遮光板２７は、壁１８側に位置する光透過性部材２６に内設されている。遮光板２７は、Ｘ方向に延在するように配置されている。遮光板２７は、発光ダイオード３８の光が照射される領域Ｃを所望の範囲内に制御するための部材である。
図２の場合、遮光板２７を設けることで、壁１８側よりも通路側に光が照射される。
【００４０】
一対の電源線２９は、ＬＥＤユニット支持部材２３内に形成された空間に配置されている。一対の電源線２９は、複数の発光ダイオード３８に電源を供給するための電源線である。一対の電源線２９は、図示していない電源供給源と接続されている。
【００４１】
カラーフィルタ３１は、着色され、光透過性を有する板状とされた部材である。カラーフィルタ３１は、Ｘ方向に延在している。カラーフィルタ３１は、ＬＥＤユニット支持部材２３と光透過性部材２６との隙間に配置されている。カラーフィルタ３１は、複数の発光ダイオード３８の発光面３８ａと対向している。
発光ダイオード３８が発光した際の光は、カラーフィルタ３１を通過することで、別の色に変更された後、光透過性部材２６を透過し、発光部分１５の外部（通路１７の上面１７ａや支柱１２等）に照射される。
発光部分１５から照射された光は、間接照明であり、手すり１１の利用者の足元を照らす。
【００４２】
カラーフィルタ３１は、ＬＥＤユニット支持部材２３に対して、突出部２６Ａに押圧させることで、位置が固定されている。
このような構成とすることで、ＬＥＤユニット支持部材２３に対するカラーフィルタ３１の接着が不要になるため、カラーフィルタ３１の種類を変更する際、ＬＥＤユニット支持部材２３に接着されたカラーフィルタ３１を剥がすことなく、カラーフィルタ３１の種類を容易に変更することができる。
なお、ＬＥＤユニット支持部材２３に対してカラーフィルタ３１を接着してもよい。
【００４３】
カラーフィルタ３１としては、様々な色のものを用いることが可能である。複数の発光ダイオード３８として白色発光の発光ダイオードを用いる場合、カラーフィルタ３１としては、例えば、赤色、ピンク色、オレンジ色、茶色、黄色、緑色、深い緑色、青色、水色等のＬＥＤライト用フィルタを用いることができるが、これに限定されない。
【００４４】
１つの発光部分１５に設けられたカラーフィルタ３１は、例えば、Ｘ方向において色の異なる複数のカラーフィルタで構成してもよい。これにより、Ｘ方向において、１つの発光部分１５から複数の色の光を発光させることが可能となるので、手すりのデザイン性を向上させることができる。
また、複数の発光部分１５に設けるカラーフィルタ３１の色を異ならせてもよい。この場合、Ｘ方向において、手すり１１全体で複数の異なる色の光に照射することが可能となるので、手すりのデザイン性を向上させることができる。
【００４５】
複数の発光部分１５のうち、一端に配置された発光部分と、他端に配置された発光部分と、残りの発光部分と、に設けるカラーフィルタの色を異ならせてもよい。
具体的には、例えば、複数の発光部分１５のうち、入口側に配置された１つの発光部分１５のカラーフィルタ３１を青色カラーフィルタとし、出口側に配置された１つの発光部分１５のカラーフィルタ３１を赤色カラーフィルタとし、残りの発光部分１５のカラーフィルタ３１を赤色及び青色以外の色のカラーフィルタを用いるとよい。
このような構成とすることで、利用者は、青色の光が照射されている部分が手すり１１の入口側であることを認識することができるとともに、赤色の光が照射されている部分が手すり１１の出口側であることを認識することができる。
【００４６】
カラーフィルタ３１の色は、例えば、手すりユニット１０を設置する環境に応じて適宜設定することができる。
例えば、手すりユニット１０を神社に設ける場合には、カラーフィルタ３１として、鳥居の色をイメージさせる赤色やオレンジ色のカラーフィルタを用いるとよい。また、これらの色を組み合わせてもよい。
また、公園の場合には、例えば、木をイメージさせる緑色や深い緑色等のカラーフィルタを用いるとよい。また、この場合も、これらの色を組み合わせてもよい。
【００４７】
なお、上記カラーフィルタ３１は、複数の発光ダイオード３８のうち、少なくとも一部の発光ダイオード３８の発光面３８ａと対向配置されていればよい。つまり、カラーフィルタ３１が設けられていない発光ダイオード３８が存在してもよい。
【００４８】
複数の支柱１２は、支柱本体４１と、接続部４２と、挿入部４３と、を有する。支柱本体４１は、Ｚ方向に延在しており、下端が通路１７に固定されている。
接続部４２は、下端が支柱１２の上端と接続されており、上端が挿入部４３と接続されている。接続部４２は、支柱１２と挿入部４３とを接続するための部材である。
挿入部４３は、Ｕ字形状とされた部材である。挿入部４３は、凹部２１Ａ内に挿入可能な形状とされている。挿入部４３の側壁の外面は、凹部２１Ａ内に挿入された状態において、凹部２１Ａを区画する手すり本体２１に当接されている。これにより、手すり本体２１に対する挿入部４３の位置が規制されている。
【００４９】
このような構成とされた複数の支柱１２を設けることで、発光部分１５から支柱１２に着色された光を照射することで、色のデザイン性を向上させることができる。
例えば、手すりユニット１０を公園に設ける場合、支柱１２近傍に配置された発光ダイオード３８の直下に茶色のカラーフィルタ３１を設け、他の部分のカラーフィルタ３１として、緑色のカラーフィルタを用いることで、支柱１２を木の幹に見立て、その周囲の緑色の光を木の葉に見立てることができる。
【００５０】
補強部材１３は、複数の支柱１２のうち、両端に配置された支柱１２と手すり本体２１とを接続するように配置されている。補強部材は、支柱１２と手すり本体２１との接続強度を向上させるための部材である。
【００５１】
本実施形態の手すり１１によれば、Ｘ方向に延在するように設けられており、下部にＸ方向に延在する凹部２１Ａを含む手すり本体２１と、発光面３８ａが下面側（通路１７の上面１７ａ側）に位置するように、凹部２１Ａ内に収容され、Ｘ方向に配置された複数の発光ダイオード３８と、凹部２１Ａ内に収容され、複数の発光ダイオード３８のうち、少なくとも一部の発光ダイオード３８の発光面３８ａと対向配置されたカラーフィルタ３１と、を備えることで、複数の発光ダイオード３８の光の色を制御することなく、カラーフィルタ３１を用いて、手すり１１の外部に照射される光の色を容易に変更することができる。
【００５２】
なお、図１では、一例として、上面１７ａが平面とされた通路１７に、手すりユニット１０を設けた場合を例に挙げて図示するが、手すりユニット１０は、階段に設けてもよい。
【００５３】
以上、本考案の実施形態について説明したが、本考案はこれに限定されることなく、その考案の技術的思想を逸脱しない範囲で適宜変更可能である。
例えば、本実施形態では、手すりユニット１０を、手すり１１と複数の支柱１２とを含むように構成した場合を例に挙げて説明したが、複数の支柱１２に替えて、一端が壁１８に固定された複数のブラケットを用いてもよい。
この場合も本実施形態の手すりユニット１０と同様な効果を得ることができる。
【符号の説明】
【００５４】
１０…手すりユニット、１１…手すり、１２…支柱、１３…補強部材、１５…発光部、１６…非発光部、１７…通路、１７ａ…上面、１８…壁、２１…手すり本体、２１Ａ…凹部、２１Ｂ…中空部、２３…ＬＥＤユニット支持部材、２４…ＬＥＤユニット、２６…光透過性部材、２６Ａ、３４、３５…突出部、２６Ｂ…凸部、２７…遮光板、２９…一対の電源線、３１…カラーフィルタ、３３…支持部材本体、３３Ａ…収容部、３４Ｂ、３５Ａ…係合部、３７…ＬＥＤ固定用部材、３７Ａ…溝、３８…発光ダイオード、３８ａ…発光面、４１…支柱本体４１、４２…接続部、４３…挿入部、Ｃ…領域 
【図１】
0003202849.tif 000003
【図２】
0003202849.tif 000004
【図３】
0003202849.tif 000005